(57)【要約】【課題】バルコニー領域等から離れた奥側の室内空間の室内側壁面に空調室内機を設置する場合でも、ドレン配設距離の短縮化と施工の容易化、施工コストの低廉化を図ることができる。【解決手段】空調室内機のドレンホース３を壁部１に貫通形成された配管挿通孔４を通して室外の排水管２に接続案内する接続案内構造であって、配管挿通孔４を覆う状態で壁部１の室内側壁面１ａに設けられる配管カバー具Ｂと、当該配管カバー具Ｂの管接続部２４と排水管２における配管挿通孔４よりも低位部位とに接続される可撓性の挿入ガイド管７と、を備え、前記配管カバー具Ｂには、管接続部２４に接続されている挿入ガイド管７に対してドレンホース３を室内側から挿入するためのホース挿入口２３が設けられている。【選択図】図３
2019060579.tif 000002
【特許請求の範囲】
【請求項１】
空調室内機のドレンホースを壁部に貫通形成された配管挿通孔を通して室外の排水管に接続案内する接続案内構造であって、
前記配管挿通孔を覆う状態で前記壁部の室内側壁面に設けられる配管カバー具と、当該配管カバー具の管接続部と前記排水管における前記配管挿通孔よりも低位部位とに接続される可撓性の挿入ガイド管と、を備え、前記配管カバー具には、前記管接続部に接続されている前記挿入ガイド管に対して前記ドレンホースを室内側から挿入するためのホース挿入口が設けられている接続案内構造。
【請求項２】
前記配管カバー具には、前記管接続部及び前記ホース挿入口を備えた取付け基材と、前記ホース挿入口の室内開口側において屈曲する前記ドレンホースの屈曲ホース部分を覆う状態で前記取付け基材の中央側部位に脱着自在に取付けられるコーナーカバーと、前記コーナーカバーの取付け基部側に外嵌装着するため嵌合装着口部を有し、且つ、前記取付け基材の露出部分を覆う化粧カバーと、が備えられている請求項１記載の接続案内構造。
【請求項３】
前記取付け基材には、前記コーナーカバーが取付けられていないとき、前記化粧カバーの嵌合装着口部を閉止する目隠しカバーが取付け可能に構成されている請求項２記載の接続案内構造。
【請求項４】
前記取付け基材には、前記壁部の前記配管挿通孔の開口周縁部分に対して孔径方向から係合する係合位置と、前記配管挿通孔の開口周縁部分から孔径方向内方側に離脱する係合解除位置と、に切り替え可能な係合部が設けられている請求項２又は３記載の接続案内構造。
【請求項５】
前記係合部は、前記壁部の前記開口周縁部分の室内側壁面に当接可能な第１係止片と、前記壁部の前記開口周縁部分の室外側壁面に当接可能な第２係止片と、が備えられ、前記第１係止片及び第２係止片には、室内側から捻じ込まれるねじが螺進可能で、且つ、ねじの螺進に伴って前記第１係止片及び第２係止片を壁挾持状態に引き寄せ固定する固定用孔が形成されている請求項４記載の接続案内構造。
【請求項６】
前記取付け基材の最下位部位には、前記配管カバー具の内部で発生した結露水を集合して外部に流下排出する排水路が形成されている請求項２〜５のいずれか１項に記載の接続案内構造。
【請求項７】
請求項１〜６のいずれか１項に記載の接続案内構造に用いられる前記配管カバー具であって、前記管接続部及び前記ホース挿入口を備えた取付け基材と、前記ホース挿入口の室内開口側において屈曲する前記ドレンホースの屈曲ホース部分を覆う状態で前記取付け基材の中央側部位に脱着自在に取付けられるコーナーカバーと、前記コーナーカバーの取付け基部側に外嵌装着するため嵌合装着口部を有し、且つ、前記取付け基材の露出部分を覆う化粧カバーと、が備えられている配管カバー具。
【発明の詳細な説明】
【技術分野】
【０００１】
本発明は、空調室内機の冷房運転時や除湿運転時に発生するドレン水の排水処理技術に関する。
【背景技術】
【０００２】
空調室内機には、冷房運転時などに熱交換器等から滴下する結露水を受止めて貯留するドレンパンが備えられている。例えば、壁掛け型の空調室内機の場合には、ドレンパンの底部に設けられているドレン水排出口部に、ドレンホースの一端部を接続する。ドレンホースの他端部は、壁部の配管挿通孔から屋外に導出して空調室内機のドレン排出口部よりも低位置に配置し、ドレン水を重力で屋外に排水する方法が採られている。
【０００３】
上述のドレン水排出方法は、例えば、マンション等の集合住宅におけるバルコニー領域に面した室内側壁面の天井近くに空調室内機が設置されている場合に採用される。しかし、バルコニー領域に面した室内空間に隣接する奥側の室内空間の室内側壁面に空調室内機が設置されている場合では、例えば、特許文献１に示すように、空調室内機とバルコニー領域に設置された空調室外機とを接続する冷媒管と一緒に、空調室内機のドレン水排出口部に接続されたドレンホースを、空調室内機の設置近くの天井面から天井裏空間に導入する。天井裏空間に沿って配設されたドレンホース及び冷媒管は、バルコニー領域に面した室内側壁面の近傍位置で天井面から室内空間に導出する、所謂隠蔽配管方法が実施される。天井面から室内空間に導出されたドレンホース及び冷媒管は、バルコニー領域に面した壁部に貫通形成され配管孔から屋外に導出される。
【先行技術文献】
【特許文献】
【０００４】
【特許文献１】特開２０１６−２１１８１２号公報
【発明の概要】
【発明が解決しようとする課題】
【０００５】
上述の隠蔽配管方法では、ドレンホースを空調室内機のドレン水排出口部よりも高い天井裏空間内に沿って配設するため、ドレンパン内のドレン水をドレンホースに圧送するドレンポンプが必要で、しかも、ドレンホースの配設距離も長く、施工手数も増加するため、施工コストが高騰化する不都合がある。
【０００６】
この実情に鑑み、本発明の主たる課題は、バルコニー領域等から離れた奥側の室内空間の室内側壁面に空調室内機を設置する場合でも、ドレン配設距離の短縮化と施工の容易化、施工コストの低廉化を図ることのできる接続案内構造とそれに用いられる配管カバー具を提供する点にある。
【課題を解決するための手段】
【０００７】
本発明による第１の特徴構成は、空調室内機のドレンホースを壁部に貫通形成された配管挿通孔を通して室外の排水管に接続案内する接続案内構造であって、
前記配管挿通孔を覆う状態で前記壁部の室内側壁面に設けられる配管カバー具と、当該配管カバー具の管接続部と前記排水管における前記配管挿通孔よりも低位部位とに接続される可撓性の挿入ガイド管と、を備え、前記配管カバー具には、前記管接続部に接続されている前記挿入ガイド管に対して前記ドレンホースを室内側から挿入するためのホース挿入口が設けられている点にある。
【０００８】
上記構成によれば、壁部で区画された室外側の排水管のうち、壁部に貫通形成される配管挿通孔よりも低位部位に、空調室内機のドレンホースを室内側から挿入案内するための可撓性の挿入ガイド管の一端部が接続されている。この挿入ガイド管の他端部は、壁部の配管挿通孔を覆う状態で当該壁部の室内側壁面に設けられる配管カバー具の管接続部に接続されている。この状態で接続案内構造の施工が完成しているので、壁部の室内側壁面に空調室内機を設置する場合には、空調室内機のドレンホースを、配管カバー具のホース挿入口から管接続部に接続されている挿入ガイド管内に挿入する。これにより、空調室内機の冷房運転時や除湿運転時に発生するドレン水は、ドレンホースから重力で排水管にスムーズに排水される。
【０００９】
そして、バルコニー領域等の屋外に面した室内空間に隣接する奥側の室内空間の室内側壁面に空調室内機を設置する場合でも、壁部で区画された室外側の排水管を利用してドレン水を排水することができるので、空調室内機から排水管までのドレン配設距離を短縮することができる。さらに、排水管と配管カバー具の管接続部とにわたって挿入ガイド管を接続するだけで、配管カバー具のホース挿入口から排水管までのドレン配設経路を簡単に構築することができる。しかも、室内側壁面に設けられた配管カバー具のホース挿入口から挿入ガイド管内に沿ってドレンホースを差し込むだけで、空調室内機のドレン配管施工が完了する。
【００１０】
したがって、屋外に面した室内空間に隣接する奥側の室内空間の室内側壁面に空調室内機を設置する場合でも、ドレンポンプを用いる必要がなく、且つ、ドレン配設距離の短縮化と施工の容易化を図ることができるので、施工コストの低廉化を図ることができる。
【００１１】
本発明による第２の特徴構成は、前記配管カバー具には、前記管接続部及び前記ホース挿入口を備えた取付け基材と、前記ホース挿入口の室内開口側において屈曲する前記ドレンホースの屈曲ホース部分を覆う状態で前記取付け基材の中央側部位に脱着自在に取付けられるコーナーカバーと、前記コーナーカバーの取付け基部側に外嵌装着するため嵌合装着口部を有し、且つ、前記取付け基材の露出部分を覆う化粧カバーと、が備えられている点にある。
【００１２】
上記構成によれば、室内側壁面に固定された取付け基材のホース挿入口にドレンホースを挿入したのち、取付け基材の中央側部位に、ホース挿入口の室内開口側において屈曲するドレンホースの屈曲ホース部分を覆うコーナーカバーを取付ける。このコーナーカバーの取付け基部側に化粧カバーの嵌合装着口部を嵌合装着する。この化粧カバーが装着された状態では、取付け基材の露出部分を体裁良く覆い隠すことができる。
【００１３】
本発明による第３の特徴構成は、前記取付け基材には、前記コーナーカバーが取付けられていないとき、前記化粧カバーの嵌合装着口部を閉止する目隠しカバーが取付け可能に構成されている点にある。
【００１４】
上記構成によれば、空調室内機の設置予定がない場合には、取付け基材に目隠しカバーを取付けることにより、化粧カバーの嵌合装着口を体裁良く覆い隠すことができる。そして、空調室内機を設置する場合には、目隠しカバーを取外し、閉塞具のホース挿入口から空調室内機のドレンホースを差し込む。取付け基材のホース挿入口の室内開口側において屈曲するドレンホースの屈曲ホース部分を覆うコーナーカバーを取付け、化粧カバーの嵌合装着口をコーナーカバーの取付け基部側に嵌合装着するだけで、ドレン配管施工が完了する。
【００１５】
本発明による第４の特徴構成は、前記取付け基材には、前記壁部の前記配管挿通孔の開口周縁部分に対して孔径方向から係合する係合位置と、前記配管挿通孔の開口周縁部分から孔径方向内方側に離脱する係合解除位置と、に切り替え可能な係合部が設けられている点にある。
【００１６】
上記構成によれば、管接続部及びホース挿入口を備えた取付け基材を、配管挿通孔を覆う状態で壁部の室内側壁面に取付ける際、取付け基材の係合部を、係合解除位置から孔径方向に沿って係合位置に切り替えると、係合部が壁部の配管挿通孔の開口周縁部分に対して孔径方向から係合する。これにより、壁部の配管挿通孔に装着されている取付け基材を簡単に仮止めすることができるので、取付け基材の取付け作業を容易に行うことができる。
【００１７】
本発明による第５の特徴構成は、前記係合部は、前記壁部の前記開口周縁部分の室内側壁面に当接可能な第１係止片と、前記壁部の前記開口周縁部分の室外側壁面に当接可能な第２係止片と、が備えられ、前記第１係止片及び第２係止片には、室内側から捻じ込まれるねじが螺進可能で、且つ、ねじの螺進に伴って前記第１係止片及び第２係止片を壁挾持状態に引き寄せ固定する固定用孔が形成されている点にある。
【００１８】
上記構成によれば、壁部の配管挿通孔に装着されている取付け基材の係合部を係合位置に切り替えたとき、第１係止片及び第２係止片が壁部の開口周縁部分の表裏に当接可能な係合状態になる。この状態で第１係止片及び第２係止片の固定用孔に対して室内側からねじを捻じ込むと、このねじの螺進に伴って第１係止片及び第２係止片が壁挾持状態に引き寄せ固定される。これにより、壁部が石膏ボードであっても、石膏ボードの割れ等の発生を抑制した状態で取付け基材を強固に取付けることができる。
【００１９】
本発明による第６の特徴構成は、前記取付け基材の最下位部位には、前記配管カバー具の内部で発生した結露水を集合して外部に流下排出する排水路が形成されている点にある。
【００２０】
上記構成によれば、配管カバー具の内部で結露水が発生したとき、結露水は取付け基材の最下位部位に形成されている排水路に集合して外部に流下排出される。この排出された結露水は室内側壁面に沿って一筋状に流下するので、配管カバー具の内部で結露水が発生していることを早期に発見することができ、結露水の処理を容易に行うことができる。
【００２１】
本発明による第７の特徴構成は、上述の第１〜第６の特徴構成のいずれか一つ記載の接続案内構造に用いられる前記配管カバー具であって、前記管接続部及び前記ホース挿入口を備えた取付け基材と、前記ホース挿入口の室内開口側において屈曲する前記ドレンホースの屈曲ホース部分を覆う状態で前記取付け基材の中央側部位に脱着自在に取付けられるコーナーカバーと、前記コーナーカバーの取付け基部側に外嵌装着するため嵌合装着口部を有し、且つ、前記取付け基材の露出部分を覆う化粧カバーと、が備えられている点にある。
【００２２】
上記構成によれば、上述の第２の特徴構成で述べた作用・効果を奏する配管カバー具を提供することができる。
【図面の簡単な説明】
【００２３】
【図１】接続案内構造の施工対象の建築構造の一部を示す斜視図
【図２】ドレン配管構造の分解斜視図
【図３】ドレン配管構造の要部の断面図
【図４】配管カバー具の取付け基材の正面側の分解斜視図
【図５】取付け基材の係合部が係合解除位置にある状態の斜視図
【図６】取付け基材の係合部が係合位置にある状態の斜視図
【図７】配管カバー具の目隠しカバーを装着するときのドレン配管構造の分解斜視図（ａ）と目隠しカバーの装着完了時の斜視図（ｂ）
【図８】配管カバー具の取付け基材の正面図（ａ）、側面図（ｂ）、背面図（ｃ）、平面図（ｄ）
【図９】配管カバー具の化粧カバーの平面図（ａ）、背面図（ｂ）
【図１０】配管カバー具の目隠しカバーの平面図（ａ）、背面図（ｂ）
【発明を実施するための形態】
【００２４】
本発明の実施形態を図面に基づいて説明する。
図１は、マンション等の集合住宅に施工した空調機Ａの空調室内機Ａ１におけるドレンホース３に対する接続案内構造を示す。集合住宅では、一般に、外部環境に属する共用通路領域とバルコニー領域との間において区画される中間領域に、居室、リビングルーム、キッチン等の複数の室内空間Ｒが形成されている。本実施形態においては、バルコニー領域に面する室内空間（図示省略）に隣接する奥側の室内空間Ｒの室内側壁面１ａに空調室内機Ａ１が取付けられている事例を示す。
【００２５】
この事例の場合、図１に示すように、空調室内機Ａ１が取付けられる室内側壁面１ａを備えた壁部１は、奥側の室内空間Ｒと室外側のパイプスペースＰＳとを区画形成している。この室外側のパイプスペースＰＳには、上下方向に沿って各階層の床スラブを貫通する共有の竪形の排水管２が配設されている。排水管２の各階層に対応する部位には、空調室内機Ａ１のドレン水排出口部（図示省略）に接続された可撓性のドレンホース３（図２、図３参照）からのドレン水が流入する合流継手２Ａが設けられている。合流継手２Ａは、ドレンホース３が余裕をもって挿通可能な内径で壁部１に貫通形成される配管挿通孔４（図２参照）よりも低位部位に配置されている。
【００２６】
また、上述の事例の場合、空調機Ａの空調室内機Ａ１と空調室外機Ａ２を接続する冷媒管５と電気配線は、床スラブと天井材との間の天井裏空間に隠蔽状態で配設するいわゆる隠蔽配管方法で施工される。そのため、天井裏空間には、冷媒管５と電気配線とを集合して配設するための配管ダクトや配管用鞘管が予め配設されている。
【００２７】
次に、空調室内機Ａ１のドレンホース３を壁部１の配管挿通孔４を通してパイプスペースＰＳの排水管２に接続案内する接続案内構造を含むドレン配管構造について詳述する。
図１〜図３に示すように、空調室内機Ａ１のドレン水排出口部から排水管２の合流継手２Ａまで配設されるドレンホース３のうち、壁部１の室内側壁面１ａに沿って上下方向に配置される直線状ホース部分３Ａを覆う直管状の二分割構造の合成樹脂製の配管用カバー６と、配管挿通孔４及び当該配管挿通孔４の室内開口側において屈曲するドレンホース３の第１屈曲ホース部分３Ｂを覆う合成樹脂製の配管カバー具Ｂと、当該配管カバー具Ｂの構成部材である後述の取付け基材Ｂ１の管接続部２４と排水管２の合流継手２Ａとの間に位置するドレンホース３の第２屈曲ホース部分３Ｃを覆う可撓性の蛇腹状の合成樹脂製の挿入ガイド管７と、が備えられている。
【００２８】
二分割構造の配管用カバー６としては、従来から種々の形態のものが存在し、そのいずれの形態の配管用カバー６も好適に用いることができる。本実施形態に用いられる配管用カバー６は、図１、図３に示すように、壁部１の室内側壁面１ａにビス止め固定される横断面形状が偏平な略上向きコの字状の取付けベース６Ａと、この取付けベース６Ａに対して外嵌状態で脱着自在に係合装着可能で、かつ、装着時に取付けベース６Ａとの間で直線状の配管空間６Ｃを形成する横断面形状が略Ｕの字状又は略コの字状の直線カバー体６Ｂとからなり、配管カバー具Ｂの構成部材である後述のコーナーカバーＢ２に対してカバー軸線方向から内嵌接続可能に構成されている。
【００２９】
配管カバー具Ｂは、図２に示すように、壁部１の室内側壁面１ａの配管挿通孔４に室内側から嵌合状態で取付けられる合成樹脂製の取付け基材Ｂ１と、当該取付け基材Ｂ１の中央側部位に脱着自在に取付けられる合成樹脂製のコーナーカバーＢ２と、少なくとも取付け基材Ｂ１の露出部分を状態で覆う脱着自在に取付けられる合成樹脂製の化粧カバーＢ３と、図７に示すように、コーナーカバーＢ２が取付けられていないとき、化粧カバーＢ３の嵌合装着口部６１を閉止する状態で脱着自在に取付けられる合成樹脂製の目隠しカバーＢ４と、が備えられている。
【００３０】
取付け基材Ｂ１には、図３、図４、図８に示すように、壁部１の配管挿通孔４に室内側から前後方向に沿って略摺動状態で脱着自在に嵌合する嵌合筒状部２０と、当該嵌合筒状部２０の後端部から径方向内方側に一体的に延出形成される底壁部２１と、嵌合筒状部２０の前端部から径方向外方側に一体的に突出形成される鍔部２２と、が備えられている。鍔部２２は、壁部１の室内側壁面１ａに対して前後方向から当接可能に構成されている。
【００３１】
取付け基材Ｂ１の底壁部２１の中心部には、図３、図４、図８に示すように、ドレンホース３を室内側から挿入するホース挿入口２３が形成されている。また、底壁部２１の背面におけるホース挿入口２３の開口周縁部には、図３、図８に示すように、挿入ガイド管７の横ガイド管部分７Ａの他端部が脱着自在に挿入接続される管接続部２４が突出形成されている。この管接続部２４には、図示は省略するが、挿入接続された挿入ガイド管７の他端部の谷部に管径方向の外方から係合して当該挿入ガイド管７の抜け出しを阻止するロック状態と、挿入ガイド管７の谷部から管径方向の外方側に離脱したロック解除状態とに切り替え操作可能なロック操作機構が設けられている。
【００３２】
取付け基材Ｂ１の鍔部２２のうち、配管用カバー６に対応する接続側部位には、図２〜図４、図８に示すように、コーナーカバーＢ２の取付けベース５１が壁部１の室内側壁面１ａに当接した状態で入り込み配置可能な装着凹部２６が切り欠き形成されている。この構成により、図３に示すように、取付け基材Ｂ１の鍔部２２に対してコーナーカバーＢ２の取付けベース５１を入り込み配置して、取付け基材Ｂ１とコーナーカバーＢ２の取付けベース５１とを第１ビス２７で確実に固定連結することができる。それでいて、取付けベース５１は、取付け基材Ｂ１の鍔部２２に形成された装着凹部２６内において壁部１の室内側壁面１ａに当接するため、取付け基材Ｂ１の鍔部２２と取付けベース５１とを、室内側壁面１ａとの間に隙間が発生しない状態で体裁良く取付けることができる。
【００３３】
図３、図４に示すように、取付け基材Ｂ１の嵌合筒状部２０のうち、装着凹部２６に臨む前端面２０ａの周方向中央部には、コーナーカバーＢ２の取付けベース５１を第１ビス（ねじの一例）２７でねじ込み固定するための第１取付け孔２８が形成されている。
嵌合筒状部２０の前端面２０ａにおける周方向の両側部には、図４、図７、図１０に示すように、目隠しカバーＢ４の裏面の左右両側部に突設した一対の第２係止爪７２が係脱可能な状態で係合する第２係合孔３０が形成されている。本実施形態では、第２係合孔３０を嵌合筒状部２０の前端面２０ａの二箇所に形成したが、この構成に限定されるものではなく、例えば、嵌合筒状部２０の前端面２０ａの１箇所又は３箇所に形成してもよい。さらに、第２係合孔３０を嵌合筒状部２０の前端面２０ａ以外の部位に形成してもよい。これに伴って、目隠しカバーＢ４側の第２係止爪７２の本数、形成位置も変更する。
【００３４】
図２、図４、図９に示すように、取付け基材Ｂ１の鍔部２２の周方向４箇所には、化粧カバーＢ３の裏面の周方向４箇所に突設した一対の第１係止爪６２が係脱可能な状態で係合する第１係合孔２９が形成されている。本実施形態では、第１係合孔２９を鍔部２２の周方向４箇所に形成したが、この構成に限定されるものではなく、例えば、第１係合孔２９を周方向の２箇所又は３箇所、或いは、５箇所以上に形成してもよい。これに伴って、化粧カバーＢ３側の第１係止爪６２の本数も変更する。
【００３５】
図４〜図６、図８に示すように、取付け基材Ｂ１の鍔部２２のうち、第１係合孔２９の隣接間の周方向中央位置には、取付け基材Ｂ１を壁部１に第２ビス（ねじの一例）３２でねじ込み固定するための第２取付け孔３３が形成されている。各第２取付け孔３３が形成されている３箇所の各々には、図４〜図６、図８に示すように、壁部１の配管挿通孔４の開口周縁部分１ｃに対して孔径方向から係合する係合位置と、壁部１の配管挿通孔４の開口周縁部分１ｃから孔径方向内方側に離脱する係合解除位置と、に切り替え可能な係合部４０が設けられている。
【００３６】
そのため、管接続部２４及びホース挿入口２３を備えた取付け基材Ｂ１を、配管挿通孔４を覆う状態で壁部１の室内側壁面１ａに取付ける際、壁部１の配管挿通孔４に装着されている取付け基材Ｂ１の係合部４０を、係合解除位置から孔径方向に沿って係合位置に切り替えると、係合部４０が壁部１の配管挿通孔４の開口周縁部分１ｃに対して孔径方向から係合する（図４参照）。これにより、壁部１の配管挿通孔４に装着されている取付け基材Ｂ１を簡単に仮止めすることができるので、取付け基材Ｂ１の取付け作業の容易化、能率化を図ることができる。
【００３７】
係合部４０の各々は、図３〜図６に示すように、壁部１の配管挿通孔４の開口周縁部分１ｃに係合可能な合成樹脂製の係合部材４１と、係合部材４１を孔径方向に移動案内する移動ガイド部４２から構成されている。
係合部材４１には、図４に示すように、取付け基材Ｂ１の底壁部２１の前面に沿って摺動可能な摺動板部４１Ａと、壁部１の配管挿通孔４の内面に孔径方向から当接可能な係合位置規制板部４１Ｂと、壁部１における配管挿通孔４の開口周縁部分１ｃの室内側壁面１ａに当接可能な第１係止片４１Ｃと、壁部１における配管挿通孔４の開口周縁部分１ｃのパイプスペースＰＳ側の室外側壁面１ｂに当接可能な第２係止片４１Ｄと、取付け基材Ｂ１の底壁部２１に形成された孔径方向に沿うスリット４２Ａに抜け止め状態で係合する抜け止め爪４１Ｅと、が主要構成として備えられている。
係合位置規制板部４１Ｂは、図３〜図６に示すように、摺動板部４１Ａの孔径方向の一端に一体形成され、係合位置規制板部４１Ｂの位置規制面で、且つ、壁部１の壁厚に略相当する間隔をおいた部位には、第１係止片４１Ｃと第２係止片４１Ｄとが一体形成されている。摺動板部４１Ａの摺接面側には、スリット４２Ａを通過可能な幅にまで弾性復元力に抗して縮小変形可能な一対の抜け止め爪４１Ｅが一体形成されている。さらに、係合位置規制板部４１Ｂと摺動板部４１Ａとに亘って補強板部４１Ｆが一体形成されている。
また、図３〜図６に示すように、第１係止片４１Ｃの先端部及び第２係止片４１Ｄの先端部で、且つ、取付け基材Ｂ１の鍔部２２に形成されている第２取付け孔３３に対応する部位には、室内側から捻じ込まれる第２ビス３２が螺進可能で、且つ、第２ビス３２の螺進に伴って第１係止片４１Ｃ及び第２係止片４１Ｄを壁挾持状態に引き寄せ固定する固定用孔４１ｃ，４１ｄが形成されている。
【００３８】
移動ガイド部４２には、図４〜図６に示すように、取付け基材Ｂ１の底壁部２１に形成された孔径方向に沿うスリット４２Ａと、係合部材４１の移動領域の少なくとも両側を囲む移動ガイド壁部４２Ｂと、係合部材４１の第１係止片４１Ｃが孔径方向から嵌合する状態で取付け基材Ｂ１の鍔部２２の表面に窪み形成された嵌合ガイド溝４２Ｃと、が備えられている。
取付け基材Ｂ１の鍔部２２の嵌合ガイド溝４２Ｃに係合部材４１の第１係止片４１Ｃが嵌合し、且つ、壁部１の配管挿通孔４の内面に係合部材４１の係合位置規制板部４１Ｂが当接したとき、係合部材４１が移動領域の係合位置に位置する。また、係合部材４１の第１係止片４１Ｃが鍔部２２の嵌合ガイド溝４２Ｃから径方向内方に離脱し、第１係止片４１Ｃ及び第２係止片４１Ｄの各先端までの半径が、取付け基材Ｂ１の嵌合筒状部２０の外周面の半径と同径又はそれよりも小径になったとき、係合部材４１は移動領域の係合解除位置に位置する。
【００３９】
そして、壁部１の配管挿通孔４に装着されている取付け基材Ｂ１の係合部４０を係合位置に切り替えたとき、第１係止片４１Ｃ及び第２係止片４１Ｄが壁部１の開口周縁部分１ｃの表裏に当接可能な係合状態になる。この状態で第１係止片４１Ｃ及び第２係止片４１Ｄの固定用孔４１ｃ，４１ｄ及び、取付け基材Ｂ１の鍔部２２に形成されている第２取付け孔３３に対して室内側から第２ビス３２を捻じ込む。この第２ビス３２の螺進に伴って第１係止片４１Ｃ及び第２係止片４１Ｄが壁挾持状態に引き寄せ固定される。これにより、壁部１が石膏ボードであっても、石膏ボードの割れ等の発生を抑制した状態で取付け基材Ｂ１を強固に取付けることができる。
【００４０】
図４、図８に示すように、取付け基材Ｂ１の各移動ガイド壁部４２Ｂにおける両側板部分４２ｂの先端側には、コーナーカバーＢ２を構成する後述の端部カバー体５２のフランジ部５２ｄを受け止め支持する高位置の第１受け面４４と、目隠しカバーＢ４の外周縁の補強リブ７１を受け止め支持する低位置の第２受け面４５とが階段状に形成されている。
【００４１】
図４、図８に示すように、取付け基材Ｂ１の鍔部２２の嵌合ガイド溝４２Ｃのうち、取付け姿勢で最下位部位に位置する嵌合ガイド溝４２Ｃは、配管カバー具Ｂの内部で発生した結露水を集合して外部に流下排出する排水路１０に兼用構成されている。この排水路１０は、最下位部位に位置する移動ガイド壁部４２Ｂの両側板部分４２ｂの外面間寸法よりも大きな幅を備えた正面視逆向きの五角形状に窪み形成されている。
上述の構成により、取付け基材Ｂ１の内部空間で結露水が発生したとき、結露水は最下位部位に位置する移動ガイド壁部４２Ｂの両側板部分４２ｂの外面に沿って排水路１０内に流入し、流入した結露水は、排水路１０である嵌合ガイド溝４２Ｃ内に入り込んだ係合部材４１の第１係止片４１Ｃの外側縁に沿って流下し、集合した結露水は排水路１０の最下端の排水口１０ａから外部に排出される。この排出された結露水は室内側壁面１ａに沿って一筋状に流下するので、配管カバー具Ｂの取付け基材Ｂ１の内部で結露水が発生していることを早期に発見することができ、結露水の処理を容易に行うことができる。
【００４２】
コーナーカバーＢ２には、図１〜図３に示すように、取付け基材Ｂ１の鍔部２２の装着凹部２６において、壁部１の室内側壁面１ａに当接した状態で入り込み配置される取付けベース５１と、取付け基材Ｂ１の底壁部２１に形成されているホース挿入口２３の室内開口側において屈曲するドレンホース３の第１屈曲ホース部分３Ｂを覆う端部カバー体５２と、が備えられている。
取付けベース５１には、図２、図３に示すように、壁部１の室内側壁面１ａに第１ビス２７でねじ込み固定するための第３取付け孔５１ａが形成され、取付けベース５１と端部カバー体５２との相対向する部位には、取付けベース５１に対して端部カバー体５２を脱着自在に係合保持する係合手段（図示省略）が設けられている。
端部カバー体５２は、図２、図３に示すように、天井壁部５２ａと左右の側壁部５２ｂ及びこれらの先端側に連続する半円筒状側壁部５２ｃとを一体成形して構成されている。さらに、両側壁部５２ｂ及び半円筒状側壁部５２ｃには、外方に略Ｕの字状に張り出すフランジ部５２ｄが一体形成されている。端部カバー体５２のフランジ部５２ｄは、取付け基材Ｂ１の各移動ガイド壁部４２Ｂにおける両側板部分４２ｂの先端側の高位置の第１受け面４４に当接状態で安定支持される。
【００４３】
化粧カバーＢ３は、図１〜図３、図９に示すように、取付け基材Ｂ１の鍔部２２の輪郭形状と略同一の輪郭形状に構成された偏平状の化粧カバー体６０を備え、この化粧カバー体６０には、端部カバー体５２の両側壁部５２ｂ及び半円筒状側壁部５２ｃに外嵌装着するため略Ｕの字状の嵌合装着口部６１が形成されている。また、化粧カバー体６０の裏面の周方向４箇所には、取付け基材Ｂ１の鍔部２２の周方向４箇所に形成された第１係合孔２９に対して係脱可能な第１係止爪６２が一体形成されている。この構成により、化粧カバー体６０は、端部カバー体５２のフランジ部５２ｄ及び取付け基材Ｂ１の露出部分を覆う状態で当該取付け基材Ｂ１に脱着自在に取付けられる。
また、化粧カバーＢ３の裏面における嵌合装着口部６１の周縁には内側補強リブ６３が一体形成され、化粧カバーＢ３の裏面における外周縁には外側補強リブ６４が一体形成されている。
【００４４】
目隠しカバーＢ４は、図７に示すように、化粧カバーＢ３の嵌合装着口部６１の輪郭形状と略同一の輪郭形状に構成された目隠しカバー体７０を備えている。この目隠しカバー体７０は、化粧カバーＢ３の嵌合装着口部６１内に略隙間の無い状態で、且つ、化粧カバーＢ３の表面に略面一に連続する状態で内嵌する。この内嵌状態では、目隠しカバー体７０の外周縁の補強リブ７１は、取付け基材Ｂ１の各移動ガイド壁部４２Ｂにおける両側板部分４２ｂの先端側の底位置の第２受け面４５に当接状態で安定支持される。
また、図１０に示すように、目隠しカバー体７０の裏面のうち、取付け基材Ｂ１の嵌合筒状部２０の前端面２０ａに対応する部位には、嵌合筒状部２０の前端面２０ａに形成されている一対の第２係合孔３０に対して係脱自在な第２係止爪７２が一体形成されている。さらに、目隠しカバーＢ４の湾曲中央位置には、化粧カバーＢ３の外側補強リブ６４の湾曲中央位置に形成された係合凹部６５に係合する係合突起７３が形成されている。
【００４５】
挿入ガイド管７は、図３に示すように、可撓性の蛇腹管の一例である鞘管から構成され、挿入ガイド管７の一端部は、排水管２の合流継手２Ａに水密状態で接続されている樹脂製の接続部材９の大径接続部９ａに差し込み接続されている。挿入ガイド管７の一端部と接続部材９の大径接続部９ａとの接合部も水密状態に密封処理されている。挿入ガイド管７の他端部は、取付け基材Ｂ１の管接続部２４に差し込み接続されている。挿入ガイド管７の露出部分には、筒状の断熱材８が外装状態で装着されている。
排水管２の合流継手２Ａと取付け基材Ｂ１の管接続部２４とを挿入ガイド管７で接続することにより、取付け基材Ｂ１のホース挿入口２３から排水管２の合流継手２Ａまでのドレン配設経路を簡単に構築することができる。しかも、室内側壁面１ａに設けられた取付け基材Ｂ１のホース挿入口２３から挿入ガイド管７内に沿ってドレンホース３を差し込むだけで、空調室内機Ａ１のドレン配管施工が完了する。
本実施形態においては、ドレンホース３の先端は、図３に示すように、挿入ガイド管７の縦ガイド管部分７Ｂの上下中間位置に配置されている。そのため、ドレンホース３からの排出されたドレン水の一部は、縦ガイド管部分７Ｂの下部側の内周面に沿って接続部材９内に流入し、排水管２の合流継手２Ａに排水される。
なお、ドレンホース３の先端を接続部材９内又は排水管２の合流継手２Ａ内にまで差し込み配置することも、本発明の実施形態の中に含まれる。
【００４６】
〔その他の実施形態〕
（１）上述の実施形態では、化粧カバーＢ３の嵌合装着口部６１を、端部カバー体５２の両側壁部５２ｂ及び半円筒状側壁部５２ｃとで構成される側壁面のうち、フランジ部５２ｄの近接部位に嵌合装着して、この化粧カバーＢ３により、端部カバー体５２のフランジ部５２ｄと取付け基材Ｂ１の露出部分とを覆うように構成したが、この構成に限定されるものではない。例えば、化粧カバーＢ３の嵌合装着口部６１を、端部カバー体５２のフランジ部５２ｄの外周縁に沿う大きさに構成して、取付け基材Ｂ１の露出部分のみを覆うように構成してもよい。
【００４７】
（２）上述の実施形態では、空調室内機Ａ１のドレン水排出口部に接続される可撓性のドレンホース３を、鞘管等の蛇腹管から構成したが、少なくとも内周面が滑らかな円筒面に形成される樹脂製の可撓性ホースから構成してもよい。
【００４８】
（３）上述の実施形態では、取付け基材Ｂ１の周方向三箇所に、壁部１の配管挿通孔４の開口周縁部分１ｃに対して孔径方向から係脱自在な係合部４０を設けたが、この係合部４０を、取付け基材Ｂ１の周方向の一箇所又は二箇所或いは四箇所以上に設けてもよい。
【００４９】
（４）上述の実施形態では、取付け基材Ｂ１に、壁部１の配管挿通孔４の開口周縁部分１ｃに対して孔径方向から係脱自在な係合部４０を設けたが、このような係合部４０を設けずに、取付け基材Ｂ１を壁部１にねじや接着剤等の適宜固定手段で固定してもよい。
【００５０】
（５）上述の実施形態では、取付け基材Ｂ１の鍔部２２のうち、配管用カバー６に対応する接続側部位に、コーナーカバーＢ２の取付けベース５１が壁部１の室内側壁面１ａに当接した状態で入り込み配置可能な装着凹部２６を形成したが、この構成に限定されるものではない。例えば、取付け基材Ｂ１の鍔部２２のうち、コーナーカバーＢ２の取付けベース５１が入り込み状態で重合配置される部位の厚みを、他の部位の厚みよりも薄く構成してもよい。
この場合も、取付け基材Ｂ１の鍔部２２と取付けベース５１とを、室内側壁面１ａとの間に隙間が発生することを抑制した状態で体裁良く取付けることができる。
【符号の説明】
【００５１】
１        壁部
１ａ      室内側壁面
１ｂ      室外側壁面
１ｃ      開口周縁部分
２        排水管
３        ドレンホース
３Ｂ      屈曲ホース部分（第１屈曲ホース部分）
４        配管挿通孔
７        挿入ガイド管
１０      排水路
２３      ホース挿入口
２４      管接続部
３２      ねじ（第２ビス）
４０      係合部
４１Ｃ    第１係止片
４１Ｄ    第２係止片
４１ｃ    固定用孔
４１ｄ    固定用孔
Ａ１      空調室内機
Ｂ        配管カバー具
Ｂ１      取付け基材
Ｂ２      コーナーカバー
Ｂ３      化粧カバー
Ｂ４      目隠しカバー
【図１】
2019060579.tif 000003
【図２】
2019060579.tif 000004
【図３】
2019060579.tif 000005
【図４】
2019060579.tif 000006
【図５】
2019060579.tif 000007
【図６】
2019060579.tif 000008
【図７】
2019060579.tif 000009
【図８】
2019060579.tif 000010
【図９】
2019060579.tif 000011
【図１０】
2019060579.tif 000012